(57)【要約】【課題】  位置決め不良が生じ難くなるようにする。【解決手段】  用紙Ｐを載置可能なトレイ１と、トレイに供給された用紙の一端縁を接当させて、その用紙を位置決め可能な基準ガイド２と、トレイに供給された用紙を基準ガイドに向けて押し出し移動可能な押し具４と、トレイに供給された用紙の一端縁を基準ガイドに接当させるべく、押し具が待機位置Ｑから基準ガイドに向けて往復移動するように、押し具の作動を制御可能な制御部７とを設けてある用紙位置決め装置であって、用紙の一端縁が基準ガイドに接当したことを検知可能な検知部５を設け、制御部を、検知部による検知結果に基づいて、押し具の用紙に対する押し出し動作を停止して待機位置に移動するように、押し具の作動を制御可能に設けてある。【選択図】        図１
2006341981.tif 000002
【特許請求の範囲】
【請求項１】
用紙を載置可能なトレイと、
前記トレイに供給された用紙の一端縁を接当させて、その用紙を位置決め可能な基準ガイドと、
前記トレイに供給された用紙を前記基準ガイドに向けて押し出し移動可能な押し具と、
前記トレイに供給された用紙の一端縁を前記基準ガイドに接当させるべく、前記押し具が待機位置から前記基準ガイドに向けて往復移動するように、前記押し具の作動を制御可能な制御部とを設けてある用紙位置決め装置であって、
前記用紙の一端縁が前記基準ガイドに接当したことを検知可能な検知部を設け、
前記制御部を、前記検知部による検知結果に基づいて、前記押し具の用紙に対する押し出し動作を停止して前記待機位置に移動するように、前記押し具の作動を制御可能に設けてある用紙位置決め装置。
【請求項２】
前記検知部による検知結果に基づいて、前記押し具の押し出し動作の停止位置を記憶可能な記憶部を設け、
前記制御部を、前記トレイに二枚目以降の用紙が積み重ねられる都度、その用紙に対する前記押し具の押し出し動作が、前記記憶部に記憶されている停止位置で停止するように、前記押し具の作動を制御可能に設けてある請求項１記載の用紙位置決め装置。
【請求項３】
前記検知部による検知結果に基づいて、前記押し具の待機位置を前記押し出し動作の停止位置から一定距離離れた位置に変更設定可能に設けてある請求項１又は２記載の用紙位置決め装置。
【発明の詳細な説明】
【技術分野】
【０００１】
本発明は、用紙を載置可能なトレイと、前記トレイに供給された用紙の一端縁を接当させて、その用紙を位置決め可能な基準ガイドと、前記トレイに供給された用紙を前記基準ガイドに向けて押し出し移動可能な押し具と、前記トレイに供給された用紙の一端縁を前記基準ガイドに接当させるべく、前記押し具が待機位置から前記基準ガイドに向けて往復移動するように、前記押し具の作動を制御可能な制御部とを設けてある用紙位置決め装置に関する。
【背景技術】
【０００２】
上記用紙位置決め装置は、例えば、複写機やファクシミリ，プリンターなどの画像形成装置において、トレイに供給された用紙の所定箇所にパンチ孔を開けたり、トレイに積み重ねた用紙の所定箇所をステイプルで綴じたりする後処理を精度良く実行できるように設けられており、従来、トレイに供給された規格用紙の一端縁を基準ガイドに接当させるべく、押し具が待機位置から規格用紙サイズに応じた設定距離だけ基準ガイドに向けて往復移動するように、押し具の作動を制御可能な制御部を設けている（例えば、特許文献１参照）。
【０００３】
【特許文献１】特開平１１−２２２３５２号公報
【発明の開示】
【発明が解決しようとする課題】
【０００４】
このため、例えば、規格用紙でも、押し具による用紙押し出し方向に沿って反りなどの曲げ癖がついているような用紙、つまり、平面視で用紙押し出し方向に沿う長さが、見かけ上、正規の長さよりも短い用紙や規格外寸法の用紙がトレイに供給されると、その用紙の一端縁が基準ガイドに接当しないうちに、押し具の用紙に対する押し出し動作が停止して、押し具が待機位置に復帰移動してしまうおそれがあり、位置決め不良を生じ易い欠点がある。
本発明は上記実情に鑑みてなされたものであって、位置決め不良が生じ難くなるようにすることを目的とする。
【課題を解決するための手段】
【０００５】
本発明の第１特徴構成は、用紙を載置可能なトレイと、前記トレイに供給された用紙の一端縁を接当させて、その用紙を位置決め可能な基準ガイドと、前記トレイに供給された用紙を前記基準ガイドに向けて押し出し移動可能な押し具と、前記トレイに供給された用紙の一端縁を前記基準ガイドに接当させるべく、前記押し具が待機位置から前記基準ガイドに向けて往復移動するように、前記押し具の作動を制御可能な制御部とを設けてある用紙位置決め装置であって、前記用紙の一端縁が前記基準ガイドに接当したことを検知可能な検知部を設け、前記制御部を、前記検知部による検知結果に基づいて、前記押し具の用紙に対する押し出し動作を停止して前記待機位置に移動するように、前記押し具の作動を制御可能に設けてある点にある。
【０００６】
〔作用及び効果〕
用紙の一端縁が基準ガイドに接当したことを検知部が検知すると、押し具の用紙に対する押し出し動作を停止して、押し具が待機位置に移動するので、例えば、平面視で用紙押し出し方向に沿う長さが、見かけ上、正規の長さよりも短い規格用紙や規格外寸法の用紙がトレイに供給されても、その用紙の一端縁が基準ガイドに接当しないうちに、押し具の用紙に対する押し出し動作が停止するおそれがなく、位置決め不良が生じ難くい。
【０００７】
本発明の第２特徴構成は、前記検知部による検知結果に基づいて、前記押し具の押し出し動作の停止位置を記憶可能な記憶部を設け、前記制御部を、前記トレイに二枚目以降の用紙が積み重ねられる都度、その用紙に対する前記押し具の押し出し動作が、前記記憶部に記憶されている停止位置で停止するように、前記押し具の作動を制御可能に設けてある点にある。
【０００８】
〔作用及び効果〕
例えば、積み重ねた用紙の所定箇所をステイプルで綴じるために、同じ寸法の用紙をトレイに積み重なるように供給して揃えたいような場合に、トレイに二枚目以降の用紙が積み重ねられる都度、その用紙に対する押し具の押し出し動作を、記憶部に記憶されている停止位置で停止させることができるので、二枚目以降の用紙毎に対応して検知部の検知動作をリセットすることなく、二枚目以降の各用紙を簡便な制御動作で位置決めすることができる。
【０００９】
本発明の第３特徴構成は、前記検知部による検知結果に基づいて、前記押し具の待機位置を前記押し出し動作の停止位置から一定距離離れた位置に変更設定可能に設けてある点にある。
【００１０】
〔作用及び効果〕
例えば、積み重ねた用紙の所定箇所をステイプルで綴じるために、同じ寸法の用紙をトレイに積み重なるように供給して揃えたいような場合に、押し具の往復移動距離が短くなるように、押し具の待機位置を押し出し動作の停止位置により近い位置に変更設定して、各用紙を短い時間で能率良く位置決めすることができる。
【発明を実施するための最良の形態】
【００１１】
以下に本発明の実施の形態を図面に基づいて説明する。
図１，図２は本発明による用紙位置決め装置を示し、複写機やファクシミリ，プリンターなどの画像形成装置において、画像形成済みの用紙Ｐの複数枚をその一端縁が揃うように積み重ねて、所定箇所にパンチ孔を開けたり、所定箇所をステイプルで綴じたりするための後処理装置などに装備してある。
【００１２】
前記位置決め装置は、画像形成済みの矩形用紙Ｐを一枚ずつ積み重ねて載置可能な用紙積載トレイ１と、トレイ１に供給された用紙Ｐの一端縁を略全長に亘って接当させて、その用紙Ｐを位置決め可能な基準ガイド２と、トレイ１に供給された用紙Ｐを基準ガイド１に向けて押し出し移動可能な電動式駆動装置３を備えた押し具４と、用紙Ｐの一端縁が基準ガイド２に接当したことを検知可能な検知部５と、トレイ１に用紙Ｐが供給される都度、その用紙Ｐの一端縁を基準ガイド２に接当させるべく、ガイド孔６に沿って押し具４が待機位置Ｑから基準ガイド２に向けて往復移動するように、押し具４の作動を制御可能な制御部７とを設けてある。
【００１３】
前記検知部５は、一対の発光部８と受光部９とを間隔を隔てて備えている光センサ１０と、用紙Ｐの一端縁が基準ガイド１に接当していないときに発光部８からの光の受光部９による受光を阻止する遮光部１１とを設けて、通常は受光部９による受光が阻止され、用紙Ｐの一端縁が基準ガイド２に接当すると、発光部８からの光を受光部９が受光して、用紙Ｐの一端縁が基準ガイド２に接当したことを検知できるように構成してある。
【００１４】
前記遮光部１１は、押し具４で押し出されてくる用紙Ｐの一端縁で押圧されることにより横軸芯Ｘ周りで揺動する揺動アーム１２に、受光部９による受光を阻止可能な遮光部材１３を一体に設けて、通常は遮光部材１３が発光部８と受光部９との間に入り込んで受光部９による受光を阻止しており、用紙Ｐの一端縁が基準ガイド２に接当するに伴って、遮光部材１３が発光部８と受光部９との間から抜け出すように揺動アーム１２を揺動させて、受光部９が受光できるように構成してある。
【００１５】
前記制御部７は、図１に示すように、空のトレイ１に一枚目の用紙Ｐ１が供給されたときは、標準待機位置Ｑ１に待機している押し具４を、図３に示すように、その用紙Ｐ１の一端縁が基準ガイド２に接当したことを検知部５が検知するまで、基準ガイド２に向けて移動させ、その用紙Ｐ１の一端縁が基準ガイド２に接当したことの検知部５による検知結果に基づいて、図４に示すように、押し具４の用紙Ｐ１に対する押し出し動作を停止して待機位置Ｑに移動するように、押し具４の作動を制御可能に設けてある。
【００１６】
尚、制御部７は、一枚目の用紙Ｐ１の一端縁が基準ガイド２に接当したことの検知部５による検知結果に基づいて、押し具４の標準待機位置Ｑ１から押し出し動作の停止位置Ｒまでの移動距離Ｌ１（図３参照）を演算し、その移動距離Ｌ１が予め記憶させてある一定の設定距離Ｌ２を越えているときは、図４に示すように、押し具４の待機位置Ｑを押し出し動作の停止位置Ｒからその設定距離Ｌ２だけ離れた位置Ｑ２に変更設定して、その変更設定した待機位置Ｑ２で押し具４を待機させるように構成してある。
【００１７】
また、検知部５による検知結果に基づいて、押し具４の押し出し動作の停止位置を記憶可能な記憶部１４を設けて、制御部５を、図５，図６に示すように、トレイ１に二枚目以降の用紙Ｐ２が積み重ねられる都度、その用紙Ｐ２に対する押し具４の押し出し動作が、記憶部１４に記憶されている停止位置Ｒで停止するように、押し具４の作動を制御可能に設けてある。
【００１８】
〔その他の実施形態〕
１．本発明による用紙位置決め装置は、押し具の用紙に対する押し出し動作を停止する都度、未検知状態に初期化できる検知部を設けて、二枚目以降の用紙がトレイに積み重なるように供給される都度、検知部による検知結果に基づいて、押し具の用紙に対する押し出し動作を停止して待機位置に移動するように、押し具の作動を制御可能な制御部を設けてあっても良い。
この場合は、寸法が異なる複数種類の用紙を積み重ねるときでも、押し具による押し出し方向の寸法が小さい用紙から先にトレイに供給することによって、各用紙の一端縁が揃うように整合できる。
２．本発明による用紙位置決め装置は、用紙の一端縁が基準ガイドに接当したことを、その用紙に対して非接触で検知可能な検知部を設けてあっても良い。
３．本発明による用紙位置決め装置は、トレイに供給された用紙を位置決めする毎に、その用紙を後続の処理工程に供給できるように構成してあっても良い。
【図面の簡単な説明】
【００１９】
【図１】用紙位置決め装置の概略側面図
【図２】用紙位置決め装置の概略平面図
【図３】用紙位置決め装置の動作説明図
【図４】用紙位置決め装置の動作説明図
【図５】用紙位置決め装置の動作説明図
【図６】用紙位置決め装置の動作説明図
【符号の説明】
【００２０】
１    トレイ
２    基準ガイド
４    押し具
５    検知部
７    制御部
１４  記憶部
Ｐ    用紙
Ｐ２  二枚目以降の用紙
Ｑ    待機位置
Ｒ    停止位置
【図１】
2006341981.tif 000003
【図２】
2006341981.tif 000004
【図３】
2006341981.tif 000005
【図４】
2006341981.tif 000006
【図５】
2006341981.tif 000007
【図６】
2006341981.tif 000008